(57)【要約】  過酸化物デリバリーシステムが製造される。過酸化物デリバリーシステムには、必要に応じて過酸化物を迅速かつ完全に放出する乾燥粉末が含まれる。過酸化物送達システムは、液体過酸化物または過酸化物溶液を、過酸化物に対して不活性であり、指触乾燥状態のままで大量の液体過酸化物または過酸化物溶液を吸着可能な無機固体支持体と組み合わせることによって製造され得る。無機固体支持体を液体過酸化物または過酸化物溶液と組み合わせる方法が開示されている。過酸化物デリバリーシステムは、粉末、液体、泡、スプレー、ゲル、軟膏、クリーム、スティック、またはペーストなどの製剤に配合でき、たとえば、洗浄、しみの除去、殺菌剤製品などのさまざまな用途に利用できる。
2020535285.tif 000002
【特許請求の範囲】
【請求項１】
少なくとも１つの過酸化物化合物用デリバリーシステムであって、
前記デリバリーシステムは、
ｃ）無機固体支持体であって、当該無機固体支持体は、少なくとも１つの前記過酸化物化合物に対して不活性であり、指触乾燥状態を維持したまま液体を吸着可能である、前記無機固体支持体と、
ｄ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記無機固体支持体によって吸着可能である、少なくとも１つの前記過酸化物化合物と、
を含み、
それにより、少なくとも１つの前記液体過酸化物または前記溶液中の少なくとも１つの前記過酸化物化合物が、前記無機固体支持体と組み合わされて、少なくとも１つの前記過酸化物化合物用デリバリーシステムを形成する、少なくとも１つの過酸化物化合物用デリバリーシステム。
【請求項２】
前記液体過酸化物または前記液体溶液が、少なくとも１つの前記過酸化物化合物のための少なくとも１つの安定剤をさらに含む、請求項１に記載の少なくとも１つの過酸化物化合物用デリバリーシステム。
【請求項３】
前記無機固体支持体がｐＨ６未満である、請求項１に記載の少なくとも１つの過酸化物化合物用デリバリーシステム。
【請求項４】
前記無機固体支持体が、Ａｌ、Ｃａ、Ｆｅ、Ｋ、Ｍｇ、Ｔｉ、およびＺｒからなる群より選択されるいずれかの個々の混入物を５０ｐｐｍ未満含む、請求項１に記載の少なくとも１つの過酸化物化合物用デリバリーシステム。
【請求項５】
前記無機固体支持体がヒュームドシリカを含む、請求項１に記載の少なくとも１つの過酸化物化合物用デリバリーシステム。
【請求項６】
少なくとも１つの前記過酸化物化合物が、過酸化水素水溶液を含む、請求項１に記載の少なくとも１つの過酸化物化合物用デリバリーシステム。
【請求項７】
前記ヒュームドシリカがｐＨ６未満である、請求項５に記載の少なくとも１つの過酸化物化合物用デリバリーシステム。
【請求項８】
前記ヒュームドシリカが親水性ヒュームドシリカを含み、少なくとも１つの前記過酸化物化合物が過酸化水素水溶液を含む液体溶液である、請求項７に記載の少なくとも１つの過酸化物化合物用デリバリーシステム。
【請求項９】
前記過酸化水素水溶液が、過酸化水素のための少なくとも１つの安定剤をさらに含む、請求項８に記載の少なくとも１つの過酸化物化合物用デリバリーシステム。
【請求項１０】
前記ヒュームドシリカが、Ａｌ、Ａｓ、Ｂａ、Ｃａ、Ｃｄ、Ｃｏ、Ｃｒ、Ｃｕ、Ｆｅ、Ｋ、Ｍｇ、Ｍｎ、Ｍｏ、Ｎａ、Ｎｉ、Ｐ、Ｐｂ、Ｓｂ、Ｓｉ、Ｓｎ、Ｓｒ、Ｔｉ、Ｖ、Ｗ、ＺｎおよびＺｒからなる群より選択されるいずれかの個々の混入物を５０ｐｐｍ未満含む、請求項５に記載の少なくとも１つの過酸化物化合物用デリバリーシステム。
【請求項１１】
前記ヒュームドシリカが、Ａｌ、Ｃａ、Ｆｅ、Ｋ、Ｍｇ、ＴｉおよびＺｒからなる群より選択されるいずれかの個々の混入物を５０ｐｐｍ未満含む、請求項５に記載の少なくとも１つの過酸化物化合物用デリバリーシステム。
【請求項１２】
前記ヒュームドシリカが、Ａｌ、Ｃａ、Ｆｅ、Ｋ、Ｍｇ、Ｔｉ、およびＺｒからなる群より選択されるいずれかの個々の混入物を１０ｐｐｍ未満含む、請求項１１に記載の少なくとも１つの過酸化物化合物用デリバリーシステム。
【請求項１３】
ヒュームドシリカが親水性ヒュームドシリカを含み、少なくとも１つの前記過酸化物化合物が過酸化水素水溶液を含む液体溶液である、請求項１１に記載の少なくとも１つの過酸化物化合物用デリバリーシステム。
【請求項１４】
前記過酸化水素水溶液が、過酸化水素のための安定剤をさらに含む、請求項１３に記載の過酸化物化合物用デリバリーシステム。
【請求項１５】
前記過酸化水素水溶液が、過酸化水素のための安定剤を少なくとも０．００１質量％含む、請求項１３に記載の少なくとも１つの過酸化物化合物用デリバリーシステム。
【請求項１６】
前記デリバリーシステムが総デリバリーシステム質量を有し、少なくとも１つの前記液体過酸化物または前記液体溶液中の少なくとも１つの前記過酸化物化合物が液体過酸化物質量または過酸化物液体溶液質量を有し、当該液体過酸化物質量または当該過酸化物液体溶液質量は、前記総デリバリーシステム質量の少なくとも７０％を含む、請求項１に記載の少なくとも１つの過酸化物化合物用デリバリーシステム。
【請求項１７】
前記液体過酸化物質量または前記過酸化物液体溶液質量が、前記総デリバリーシステム質量の少なくとも５０％を含む、請求項１に記載の少なくとも１つの過酸化物化合物用デリバリーシステム。
【請求項１８】
前記過酸化水素水溶液が少なくとも５０質量％の過酸化水素を含む、請求項７に記載の少なくとも１つの過酸化物化合物用デリバリーシステム。
【請求項１９】
前記過酸化水素水溶液が少なくとも７０％の過酸化水素を含む、請求項８に記載の少なくとも１つの過酸化物化合物用デリバリーシステム。
【請求項２０】
前記過酸化水素水溶液が少なくとも５０％の過酸化水素を含む、請求項１２に記載の少なくとも１つの過酸化物化合物用デリバリーシステム。
【請求項２１】
前記過酸化水素水溶液が少なくとも７０％の過酸化水素を含む、請求項１３に記載の少なくとも１つの過酸化物化合物用デリバリーシステム。
【請求項２２】
少なくとも１つの前記過酸化物化合物が、過酸化水素、過酢酸、過ホウ酸塩、過炭酸塩、有機過酸化物、過硫酸塩、過酸、およびそれらの混合物からなる群より選択される、請求項１に記載の少なくとも１つの過酸化物化合物用デリバリーシステム。
【請求項２３】
前記安定剤が、スズ酸塩、ポリオール、ジオール、カルボン酸塩、リン酸塩、ピロリン酸塩、エチレンジアミン四酢酸（ＥＤＴＡ）およびその塩、アミン置換有機ホスホン酸およびその塩、アジピン酸およびその塩、リン酸およびその塩、コハク酸およびその塩、ブチル化ヒドロキシトルエン（ＢＨＴ）、ブチル化ヒドロキシアニソール（ＢＨＡ）、フェノール、ならびに、それらの混合物からなる群より選択される、請求項５に記載の少なくとも１つの過酸化物化合物用デリバリーシステム。
【請求項２４】
少なくとも１つの過酸化物化合物用デリバリーシステムであって、
前記デリバリーシステムは、
ｃ）ヒュームドシリカであって、当該ヒュームドシリカは、少なくとも１つの前記過酸化物化合物に対して不活性であり、指触乾燥状態を維持したまま液体を前記デリバリーシステム質量に対して７０％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、前記ヒュームドシリカと、
ｄ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記ヒュームドシリカによって吸着可能であり、当該過酸化物のための安定剤を少なくとも０．００１％含む、少なくとも１つの前記過酸化物化合物と、
を含み、
それにより、前記デリバリーシステムに対して７０質量％までの前記液体過酸化物または少なくとも１つの前記過酸化物化合物の前記液体溶液が、前記ヒュームドシリカと組み合わされて、少なくとも１つの前記過酸化物化合物用デリバリーシステムを形成する、少なくとも１つの過酸化物化合物用デリバリーシステム。
【請求項２５】
過酸化水素用デリバリーシステムであって、
前記デリバリーシステムは、
ｃ）親水性ヒュームドシリカであって、当該親水性ヒュームドシリカは、過酸化水素に対して不活性であり、指触乾燥状態を維持したまま液体を前記デリバリーシステム質量に対して７０％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、親水性ヒュームドシリカと、
ｄ）過酸化水素水溶液であって、当該過酸化水素水溶液は、前記親水性ヒュームドシリカによって吸着可能であり、過酸化水素のための安定剤を少なくとも０．００１％含む、過酸化水素水溶液と、
を含み、
それにより、前記デリバリーシステムに対して７０質量％までの前記過酸化水素水溶液が、前記親水性ヒュームドシリカと組み合わされて、過酸化水素用デリバリーシステムを形成する、過酸化水素用デリバリーシステム。
【請求項２６】
少なくとも１つの前記過酸化物化合物が初期活性酸素含有量を有し、少なくとも１つの当該過酸化物化合物が、５０℃で１週間保管後に、初期活性酸素含有量の少なくとも６０％を保持する、請求項１に記載の少なくとも１つの過酸化物化合物用デリバリーシステム。
【請求項２７】
少なくとも１つの前記過酸化物化合物が初期活性酸素含有量を有し、少なくとも１つの当該過酸化物化合物が、５０℃で１週間保管後に、初期活性酸素含有量の少なくとも８０％を保持する、請求項２に記載の少なくとも１つの過酸化物化合物用デリバリーシステム。
【請求項２８】
少なくとも１つの前記過酸化物化合物が初期活性酸素含有量を有し、少なくとも１つの当該過酸化物化合物が、５０℃で１週間保管後に、初期活性酸素含有量の少なくとも９０％を保持する、請求項２に記載の少なくとも１つの過酸化物化合物用デリバリーシステム。
【請求項２９】
しみ付き布からしみを除去する方法であって、
ａ．請求項１に記載の過酸化物デリバリーシステムを準備する工程と、
ｂ．前記しみ付き布に前記過酸化物デリバリーシステムを適用する工程と、
ｃ．前記過酸化物デリバリーシステムを前記しみ付き布上に一定時間おく工程と、
ｄ．前記しみ付き布から前記過酸化物デリバリーシステムをすすぐ工程と、
を含む、方法。
【請求項３０】
請求項１に記載の前記過酸化物デリバリーシステムを含む、口腔ケア組成物。
【請求項３１】
請求項１に記載の前記過酸化物デリバリーシステムを含む、練り歯磨きまたは歯清掃用組成物。
【請求項３２】
請求項１に記載の前記過酸化物デリバリーシステムを含む、洗浄組成物。
【請求項３３】
請求項１に記載の前記過酸化物デリバリーシステムを含む、洗濯洗浄組成物。
【請求項３４】
請求項１に記載の前記過酸化物デリバリーシステムを含む、床洗浄組成物。
【請求項３５】
請求項１に記載の前記過酸化物デリバリーシステムを含む、化粧品組成物。
【請求項３６】
請求項１に記載の前記過酸化物デリバリーシステムを含む、毛髪脱色組成物。
【請求項３７】
請求項１に記載の前記過酸化物デリバリーシステムを含む、染毛剤組成物。
【請求項３８】
請求項１に記載の前記過酸化物デリバリーシステムを含む、殺菌剤組成物。
【発明の詳細な説明】
【技術分野】
【０００１】
少なくとも１つの過酸化物化合物用デリバリーシステムが開示されている。デリバリーシステムは、少なくとも１つの過酸化物化合物の溶液を結晶性またはアモルファス固体物質と組み合わせることにより調製される。デリバリーシステムは、指触乾燥状態であり、過酸化物化合物は長期間安定している。過酸化物化合物用の安定剤をデリバリーシステムに加えることができる。
【背景技術】
【０００２】
液体過酸化物および過酸化物化合物の溶液は、酸化剤やフリーラジカルの工業用供給源から化粧品や家庭用サニタイザーまで、多くの用途に役立つが、一般に液体であり、不安定で反応性があるため、便利な保管と配送は長い間困難であった。
【０００３】
乾燥粉末、ペレット、タブレット、ビーズ、またはレンガの形をとることができ、長期安定性のある過酸化物化合物の固体形態は、ほんの数例を挙げれば、パーソナルケア、化粧品、農業およびヘルスケア用途のための製剤など、幅広い用途がある。
【発明の概要】
【発明が解決しようとする課題】
【０００４】
過酸化物は悪名高い反応性があるため、化学的にカプセル化される試みに抵抗する。これを行う試みは、一般に複雑で多段のプロセスであり、当該プロセスは、反応条件に非常に敏感で、実験室規模であっても高価な試薬と機器を必要とする。そのような製品はほとんど商業的数量で入手できない。
【０００５】
本開示は、過酸化物の固体形態を調製するための技術およびプロセスを提供する。固形、粉末、顆粒、またはブロックの形態の非液体過酸化物は、練り歯磨き、防臭スティック、脱色クリーム、カーペットクリーニングなどの用途でしばしば望まれる。これは、そのような製剤（およびそのレオロジー特性）が液体内容物に敏感であるためである。他の用途では、過酸化物は、エアフィルターや一部の表面処理などで、液体の形態で処理または配送できず、それ故に、固体の形態で配送される必要がある。
【０００６】
したがって、容易にスケールアップできる強固な製造方法を使用して、比較的費用効果の高い材料で製造できる過酸化物デリバリーシステムが長い間求められてきた。さらに、過酸化物デリバリーシステムは、長期安定性があり、粉末のように扱うことができ、所望のマトリックスまたは反応媒体に簡単に混合でき、さらに、パーソナルケア製品用に安全な非毒性物質を使用して過酸化物化合物を配送でき、加えて、環境に有害ではなく、したがって、大きな魅力の可能性がある。
【課題を解決するための手段】
【０００７】
少なくとも１つの過酸化物化合物用デリバリーシステムが開示されている。当該デリバリーシステムは、過酸化物化合物に対して不活性であり、指触乾燥状態を維持したままかなりの量の液体を吸着可能な無機固体支持体を使用する。過酸化物化合物自体は、液体であるか、または無機固体担体によって吸着されることができる、液体溶液の状態で提供される。過酸化物のための安定剤を過酸化物デリバリーシステムに含めることができる。
【０００８】
このようにして提供された過酸化物デリバリーシステムは、固体形態であり、長期安定性を有する。 過酸化物は、デリバリーシステムを所望のマトリックスまたは反応媒体に混合するだけで簡単に放出される。
本発明の様々な非限定的な態様は、以下のように要約され得る。
【０００９】
態様１：少なくとも１つの過酸化物化合物用デリバリーシステムであって、
前記デリバリーシステムは、
ａ）無機固体支持体であって、当該無機固体支持体は、少なくとも１つの前記過酸化物化合物に対して不活性であり、指触乾燥状態を維持したまま液体を吸着可能である、前記無機固体支持体と、
ｂ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記無機固体支持体によって吸着可能である、少なくとも１つの前記過酸化物化合物と、
を含み、
それにより、少なくとも１つの前記液体過酸化物または前記溶液中の少なくとも１つの前記過酸化物化合物が、前記無機固体支持体と組み合わされて、少なくとも１つの前記過酸化物化合物用デリバリーシステムを形成する、少なくとも１つの過酸化物化合物用デリバリーシステム。
【００１０】
態様２：前記液体過酸化物または前記液体溶液が、少なくとも１つの前記過酸化物化合物のための少なくとも１つの安定剤をさらに含む、態様１に記載の少なくとも１つの過酸化物化合物用デリバリーシステム。
【００１１】
態様３：前記無機固体支持体がｐＨ６未満である、態様１または２に記載の少なくとも１つの過酸化物化合物用デリバリーシステム。
【００１２】
態様４：前記無機固体支持体が、Ａｌ、Ｃａ、Ｆｅ、Ｋ、Ｍｇ、Ｔｉ、およびＺｒからなる群より選択されるいずれかの個々の混入物を５０ｐｐｍ未満含む、態様１〜３のいずれかに記載の少なくとも１つの過酸化物化合物用デリバリーシステム。
【００１３】
態様５：前記無機固体支持体がヒュームドシリカを含む、態様１〜４のいずれかに記載の少なくとも１つの過酸化物化合物用デリバリーシステム。
【００１４】
態様６：少なくとも１つの前記過酸化物化合物が、過酸化水素水溶液を含む、態様１〜５のいずれかに記載の少なくとも１つの過酸化物化合物用デリバリーシステム。
【００１５】
態様７：前記ヒュームドシリカがｐＨ６未満である、態様５に記載の少なくとも１つの過酸化物化合物用デリバリーシステム。
【００１６】
態様８：前記ヒュームドシリカが親水性ヒュームドシリカを含み、少なくとも１つの前記過酸化物化合物が過酸化水素水溶液を含む液体溶液である、態様５または７に記載の少なくとも１つの過酸化物化合物用デリバリーシステム。
【００１７】
態様９：前記過酸化水素水溶液が、過酸化水素のための少なくとも１つの安定剤をさらに含む、態様６または８に記載の少なくとも１つの過酸化物化合物用デリバリーシステム。
【００１８】
態様１０：前記ヒュームドシリカが、Ａｌ、Ａｓ、Ｂａ、Ｃａ、Ｃｄ、Ｃｏ、Ｃｒ、Ｃｕ、Ｆｅ、Ｋ、Ｍｇ、Ｍｎ、Ｍｏ、Ｎａ、Ｎｉ、Ｐ、Ｐｂ、Ｓｂ、Ｓｉ、Ｓｎ、Ｓｒ、Ｔｉ、Ｖ、Ｗ、ＺｎおよびＺｒからなる群より選択されるいずれかの個々の混入物を５０ｐｐｍ未満含む、態様５、７または８に記載の少なくとも１つの過酸化物化合物用デリバリーシステム。
【００１９】
態様１１：前記ヒュームドシリカが、Ａｌ、Ｃａ、Ｆｅ、Ｋ、Ｍｇ、ＴｉおよびＺｒからなる群より選択されるいずれかの個々の混入物を５０ｐｐｍ未満含む、態様５、７〜１０のいずれかに記載の少なくとも１つの過酸化物化合物用デリバリーシステム。
【００２０】
態様１２：前記ヒュームドシリカが、Ａｌ、Ｃａ、Ｆｅ、Ｋ、Ｍｇ、Ｔｉ、およびＺｒからなる群より選択されるいずれかの個々の混入物を１０ｐｐｍ未満含む、態様５、７〜１１のいずれかに記載の少なくとも１つの過酸化物化合物用デリバリーシステム。
【００２１】
態様１３：ヒュームドシリカが親水性ヒュームドシリカを含み、少なくとも１つの前記過酸化物化合物が過酸化水素水溶液を含む液体溶液である、態様５、７〜１２のいずれかに記載の少なくとも１つの過酸化物化合物用デリバリーシステム。
【００２２】
態様１４：前記過酸化水素水溶液が、過酸化水素のための安定剤をさらに含む、態様６、８、９のいずれかに記載の過酸化物化合物用デリバリーシステム。
【００２３】
態様１５：前記過酸化水素水溶液が、過酸化水素のための安定剤を少なくとも０．００１質量％含む、態様６、８〜１０のいずれかに記載の少なくとも１つの過酸化物化合物用デリバリーシステム。
【００２４】
態様１６：前記デリバリーシステムが総デリバリーシステム質量を有し、少なくとも１つの前記液体過酸化物または前記液体溶液中の少なくとも１つの前記過酸化物化合物が液体過酸化物質量または過酸化物液体溶液質量を有し、当該液体過酸化物質量または当該過酸化物液体溶液質量は、前記総デリバリーシステム質量の少なくとも７０％を含む、態様１〜１５のいずれかに記載の少なくとも１つの過酸化物化合物用デリバリーシステム。
【００２５】
態様１７：前記液体過酸化物質量または前記過酸化物液体溶液質量が、前記総デリバリーシステム質量の少なくとも５０％を含む、態様１〜１６のいずれかに記載の少なくとも１つの過酸化物化合物用デリバリーシステム。
【００２６】
態様１８：前記過酸化水素水溶液が少なくとも５０質量％の過酸化水素を含む、態様６、８または９のいずれかに記載の少なくとも１つの過酸化物化合物用デリバリーシステム。
【００２７】
態様１９：前記過酸化水素水溶液が少なくとも７０％の過酸化水素を含む、態様６、８、９または１８のいずれかに記載の少なくとも１つの過酸化物化合物用デリバリーシステム。
【００２８】
態様２０：前記過酸化水素水溶液が少なくとも５０％の過酸化水素を含む、態様１３〜１５のいずれかに記載の少なくとも１つの過酸化物化合物用デリバリーシステム。
【００２９】
態様２１：前記過酸化水素水溶液が少なくとも７０％の過酸化水素を含む、態様１３〜１５、２０のいずれかに記載の少なくとも１つの過酸化物化合物用デリバリーシステム。
【００３０】
態様２２：少なくとも１つの前記過酸化物化合物が、過酸化水素、過酢酸、過ホウ酸塩、過炭酸塩、有機過酸化物、過硫酸塩、過酸、およびそれらの混合物からなる群より選択される、態様１〜２１のいずれかに記載の少なくとも１つの過酸化物化合物用デリバリーシステム。
【００３１】
態様２３：前記安定剤が、スズ酸塩、ポリオール、ジオール、カルボン酸塩、リン酸塩、ピロリン酸塩、エチレンジアミン四酢酸（ＥＤＴＡ）およびその塩、アミン置換有機ホスホン酸およびその塩、アジピン酸およびその塩、リン酸およびその塩、コハク酸およびその塩、ブチル化ヒドロキシトルエン（ＢＨＴ）、ブチル化ヒドロキシアニソール（ＢＨＡ）、フェノール、ならびに、それらの混合物からなる群より選択される、態様２、９、１４または１５に記載の少なくとも１つの過酸化物化合物用デリバリーシステム。
【００３２】
態様２４：少なくとも１つの過酸化物化合物用デリバリーシステムであって、
前記デリバリーシステムは、
ａ）ヒュームドシリカであって、当該ヒュームドシリカは、少なくとも１つの前記過酸化物化合物に対して不活性であり、指触乾燥状態を維持したまま液体を前記デリバリーシステム質量に対して７０％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、前記ヒュームドシリカと、
ｂ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記ヒュームドシリカによって吸着可能であり、当該過酸化物のための安定剤を少なくとも０．００１％含む、少なくとも１つの前記過酸化物化合物と、
を含み、
それにより、前記デリバリーシステムに対して７０質量％までの前記液体過酸化物または少なくとも１つの前記過酸化物化合物の前記液体溶液が、前記ヒュームドシリカと組み合わされて、少なくとも１つの前記過酸化物化合物用デリバリーシステムを形成する、少なくとも１つの過酸化物化合物用デリバリーシステム。
【００３３】
態様２５：過酸化水素用デリバリーシステムであって、
前記デリバリーシステムは、
ａ）親水性ヒュームドシリカであって、当該親水性ヒュームドシリカは、過酸化水素に対して不活性であり、指触乾燥状態を維持したまま液体を前記デリバリーシステム質量に対して７０質量％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、親水性ヒュームドシリカと、
ｂ）過酸化水素水溶液であって、当該過酸化水素水溶液は、前記親水性ヒュームドシリカによって吸着可能であり、過酸化水素のための安定剤を少なくとも０．００１％含む、過酸化水素水溶液と、
を含み、
それにより、前記デリバリーシステムに対して７０質量％までの前記過酸化水素水溶液が、前記親水性ヒュームドシリカと組み合わされて、過酸化水素用デリバリーシステムを形成する、過酸化水素用デリバリーシステム。
【００３４】
態様２６：少なくとも１つの前記過酸化物化合物が初期活性酸素含有量を有し、少なくとも１つの当該過酸化物化合物が、５０℃で１週間保管後に、初期活性酸素含有量の少なくとも６０％を保持する、態様１〜２５のいずれかに記載の少なくとも１つの過酸化物化合物用デリバリーシステム。
【００３５】
態様２７：少なくとも１つの前記過酸化物化合物が初期活性酸素含有量を有し、少なくとも１つの当該過酸化物化合物が、５０℃で１週間保管後に、初期活性酸素含有量の少なくとも８０％を保持する、態様１〜２５のいずれかに記載の少なくとも１つの過酸化物化合物用デリバリーシステム。
【００３６】
態様２８：少なくとも１つの前記過酸化物化合物が初期活性酸素含有量を有し、少なくとも１つの当該過酸化物化合物が、５０℃で１週間保管後に、初期活性酸素含有量の少なくとも９０％を保持する、態様１〜２５のいずれかに記載の少なくとも１つの過酸化物化合物用デリバリーシステム。
【００３７】
態様２９：しみ付き布からしみを除去する方法であって、
ａ．態様１〜２８のいずれかに記載の過酸化物デリバリーシステムを準備する工程と、
ｂ．前記しみ付き布に前記過酸化物デリバリーシステムを適用する工程と、
ｃ．前記過酸化物デリバリーシステムを前記しみ付き布上に一定時間おく工程と、
ｄ．前記しみ付き布から前記過酸化物デリバリーシステムをすすぐ工程と、
を含む、方法。
【００３８】
態様３０：態様１〜２８のいずれかに記載の前記過酸化物デリバリーシステムを含む、口腔ケア組成物。
【００３９】
態様３１：態様１〜２８のいずれかに記載の前記過酸化物デリバリーシステムを含む、練り歯磨きまたは歯清掃用組成物。
【００４０】
態様３２：態様１〜２８のいずれかに記載の前記過酸化物デリバリーシステムを含む、洗浄組成物。
【００４１】
態様３３：態様１〜２８のいずれかに記載の前記過酸化物デリバリーシステムを含む、洗濯洗浄組成物。
【００４２】
態様３４：態様１〜２８のいずれかに記載の前記過酸化物デリバリーシステムを含む、床洗浄組成物。
【００４３】
態様３５：態様１〜２８のいずれかに記載の前記過酸化物デリバリーシステムを含む、化粧品組成物。
【００４４】
態様３６：態様１〜２８のいずれかに記載の前記過酸化物デリバリーシステムを含む、毛髪脱色組成物。
【００４５】
態様３７：態様１〜２８のいずれかに記載の前記過酸化物デリバリーシステムを含む、染毛剤組成物。
【００４６】
態様３８：態様１〜２８のいずれかに記載の前記過酸化物デリバリーシステムを含む、殺菌剤組成物。
【図面の簡単な説明】
【００４７】
【図１】図１は、沈降シリカの走査型電子顕微鏡（ＳＥＭ）顕微鏡写真を示す。
【図２】図２は、ヒュームドシリカの単一のアグリゲートのＳＥＭ顕微鏡写真を示す。
【図３】図３ａおよび３ｂは、本発明の実施形態のしみ除去効力を示す。
【発明を実施するための形態】
【００４８】
本発明において有用な固体支持体は、高純度の無機粉末である。過酸化物化合物のための固体支持体（担体とも呼ばれる）は、過酸化物に対して不活性である必要がある。本明細書において、過酸化物に対して不活性とは、固体支持体がデリバリーに含まれる過酸化物化合物と反応せず、さらに、本デリバリーシステムにおいて、過酸化物化合物の分解（メトローム自動滴定装置（Ｍｅｔｒｏｈｍ  Ａｕｔｏｔｉｔｒａｔｏｒ）を使用した滴定により測定される活性酸素の損失）を触媒しないことを意味する。本明細書において、「過酸化物に対して不活性」とは、過酸化物化合物の初期活性酸素の低下が、２５℃で１週間、密封された不透明な容器にデリバリーシステムを保管するとき、１０％未満であることを意味する。
【００４９】
以下に詳述するように、様々な担体中における例示的な過酸化物化合物の長期安定性の広範な試験、ならびに無機担体の詳細な分析を行って、過酸化物デリバリーシステムの担体に必要な不純物および他の物理的特性の適当な範囲を決定した。
【００５０】
本発明は、一連の実施例を用いて説明される。しかしながら、詳細な結果を提供する前に、以下は、実施例で使用される試薬の特性の要約である。
【００５１】
試薬：
過酸化物化合物：
本発明を例示するために、過酸化水素を過酸化物化合物の例として選択した。過酸化物と安定剤の濃度が異なる５つの過酸化水素水溶液を使用した。それらを表１に示す。
【００５２】
【表１】
2020535285.tif 000003
【００５３】
過酸化物に適当な任意のタイプの安定剤を、過酸化物デリバリーシステムに含めることができる。過酸化物を安定化できる製品は知られており、入手可能である。過酸化物デリバリーシステムが使用される最終用途および市場に応じて、様々な量の過酸化物安定剤、異なる構造／組成を有する過酸化物安定剤、および、安定剤の組合せを使用することができる。適当な安定剤の非限定的な例は、スズ酸塩、ポリオール、ジオール、カルボン酸塩、リン酸塩、ピロリン酸塩、エチレンジアミン四酢酸（ＥＤＴＡ）およびその塩、アミン置換有機ホスホン酸またはその塩、アジピン酸およびその塩、リン酸およびその塩、コハク酸およびその塩、ブチル化ヒドロキシトルエン（ＢＨＴ）、ブチル化ヒドロキシアニソール（ＢＨＡ）、フェノール、並びに、それらの組合せ、である。過酸化物自体が液体である場合、過酸化物溶液または過酸化物化合物の１質量ｐｐｍから３０質量％の範囲の任意の適当な濃度の安定剤を利用することができる。実施例で使用される試薬用の安定剤の相対量を表１に示す。
【００５４】
実施例は、過酸化物化合物として水溶液中の過酸化水素を用いて本発明を例示するが、他の過酸化物および他の溶媒も過酸化物デリバリーシステムでの使用に適当であることも理解されたい。そのような過酸化物の非限定的な例は、過酸（例えば過酢酸）、過ホウ酸塩、過炭酸塩、有機過酸化物（例えば、ジアルキルペルオキシド、ペルオキシケタールおよび有機ヒドロペルオキシドを含む）、過硫酸塩、ペルエステル、またはこれらの化学物質の混合物である。選択された過酸化物化合物に適当な任意の溶媒を使用して、本明細書に開示される過酸化物デリバリーシステムを製造することができる。溶媒としては、例えば、水、有機溶媒または水性有機溶媒を使用することができる。
【００５５】
固体支持体：沈殿シリカとシリカゲル
沈降シリカは、沈殿によって製造されるシリカの一形態である。沈降シリカの製造は、アルカリケイ酸塩溶液と鉱酸との反応から始める。硫酸とケイ酸ナトリウム溶液を攪拌しながら同時に水に加え、シリカの沈殿をアルカリ条件下で行う。得られる沈降シリカの特性は、反応条件に応じて制御および操作することができる。攪拌の量と種類、沈殿の期間、反応物の添加速度、それらの温度と濃度、および反応混合物のｐＨは、すべて、このようにして製造された沈殿シリカの特性に影響を与え得る。ゲル形成のステージは、高温（例えば、８５℃〜９５℃）で攪拌することにより避けられる。より低い温度（例えば、２０℃〜３０℃）で沈殿を行うと、シリカゲルが得られる。得られた白い沈殿物は、製造プロセスの最終段階の一部として、ろ過、洗浄、乾燥される。
【００５６】
沈殿シリカは多孔質であるため、液体を吸収可能である。沈降シリカのＳＥＭ顕微鏡写真を図１に示す。
【００５７】
実験は、Ｓｉｐｅｒｎａｔ（登録商標）５００ＬＳおよびＳｉｐｅｒｎａｔ（登録商標）２２ＬＳ沈降シリカ（Ｅｖｏｎｉｋ社製）およびＳｙｌｏｉｄ（登録商標）２４４ＦＰシリカゲル（Ｗ．Ｒ．Ｇｒａｃｅ社製）を使用して行われた。Ｗ．Ｒ．Ｇｒａｃｅ社によって製造されたＳｙｌｏｉｄ（登録商標）シリカ製品は、高純度の合成アモルファスシリカゲルである。
【００５８】
表２に、製造元が提供するＳｉｐｅｒｎａｔ（登録商標）およびＳｙｌｏｉｄ（登録商標）の特性を示す。
【００５９】
【表２】
2020535285.tif 000004
＊ＩＳＯ７８７／９
【００６０】
固体支持体：親水性フュームド（またはパイロジェニック）シリカ
ヒュームド（パイロジェニックとも呼ばれる）シリカは、沈降シリカとは形態モルフォロジーが大きく異なる。ヒュームドシリカ製品（例：Ｅｖｏｎｉｋ／Ｄｅｇｕｓｓａ社のＡｅｒｏｓｉｌ（登録商標）およびＣａｂｏｔ社のＣＡＢ−Ｏ−ＳＩＬ（登録商標））は、アモルファス構造と幅広い１次粒子サイズを特徴とする。１次粒子は、孤立した形態ではなく、アグリゲート（ａｇｇｒｅｇａｔｅ）やアグロメレート（ａｇｇｌｏｍｅｒａｔｅ）として存在する。フュームドシリカは、火炎で製造されるためパイロジェニックシリカ（熱分解法シリカ）とも呼ばれ、アモルファスシリカの微小な液滴（１次粒子）で構成され、当該液滴は、分岐鎖状の３次元の２次粒子、つまりアグリゲートに溶融し、その後アグリゲートは３次粒子にアグロメレートになる。個々の微小な液滴は本質的に無孔である。これらの分岐鎖状の３次元の２次粒子つまりアグリゲートの構造は、図２のＳＥＭに明確に示されている。
【００６１】
ヒュームドシリカ（ＳｉＯ2）は、四塩化ケイ素（ＳｉＣｌ4）などの物質の連続的な火炎加水分解によって製造される。火炎中において、水素と酸素（空気由来）はＳｉＣｌ4の存在下で反応する。ＳｉＯ2の形成は、水が形成される酸水素反応の組合せで説明され得る。この水によるＳｉＣｌ4の加水分解は、ＳｉＯ2が火炎中ですぐに形成されるように行われる。高温のガスと塩酸を含む固体（ＳｉＯ2粒子）の混合物がエアロゾルとして生成される。このエアロゾルは、次のプロセス工程で固体と気体に分離される前に、まず冷却する必要がある。分離後、固体にはまだ比較的大量のＨＣｌが含まれており、粒子の表面に吸着されている。未処理の親水性ヒュームドシリカを生成する最後の工程として、脱酸工程を実行して、親水性生成物からＨＣｌを除去する。脱酸工程後の未処理のヒュームドシリカの表面は非常に親水性であり、つまり、粒子の表面にある自由にアクセス可能なシラノール基（Ｓｉ−ＯＨ）により、表面は容易に水に濡れやすくなっている。理論に拘束されないが、ヒュームドシリカの個々の１次粒子は非多孔質であるため、液体の添加時に、液体は（多孔性である沈降シリカに予想されるほどに）ヒュームドシリカ粒子の内部に吸収されないが、分岐鎖状の３次元の２次粒子つまりアグリゲート（大きなアグロメレートを形成する）の表面に残ることが推測される。アグロメレートが個々のアグリゲートで形成されている場合でも、液体が表面を濡らすことができるならば、ヒュームドシリカのアグリゲートとアグロメレートの複雑な表面モルフォロジーは、大量の液体を保持するのに十分であることを理解できる。したがって、過酸化物の水溶液または極性溶液の場合、親水性ヒュームドシリカは大量の液体を吸着すると予想される。
【００６２】
親水性ヒュームドシリカは、他の成分をその表面に結合できるさまざまな後処理工程にかけることができる。したがって、親水性ヒュームドシリカは、過酸化物の非水溶液で濡らすことができるヒュームドシリカ製品に変換することができる。再び、理論に拘束されることを望まないが、そのような処理をしたヒュームドシリカは、過酸化物の非極性溶液または非水溶液がこのような表面改質ヒュームドシリカの表面を濡らすことができる限り、同様に過酸化物の非極性溶液または非水溶液を大量に吸着することができると期待される。非水性過酸化物溶液の非限定的な例は、炭化水素溶媒中の２，２−ビス（ｔ−ブチルペルオキシ）ブタン；炭化水素または芳香族炭化水素溶媒中の１，１−ビス（ｔ−ブチルペルオキシシクロヘキサン）；芳香族溶媒中のクメンヒドロペルオキシド；炭化水素溶媒中のｐ−メンタンヒドロペルオキシド；炭化水素溶媒中のイソブチリルペルオキシド；炭化水素溶液中のｔ−ブチルペルオキシイソプロピルモノカーボネート；炭化水素溶媒中のα、α’−ビス（ネオデカノイルペルオキシ）ジイソプロピルベンゼン；炭化水素溶媒中のペルオキシネオデカン酸クミル；炭化水素溶媒中のｔ−ヘキシルペルオキシピバレート；炭化水素溶媒中のｔ−アミルペルオキシピバレート；可塑剤を含む溶液中のｔ−ブチルペルオキシ２−エチルヘキサノエートが挙げられる。適当な過酸化物の他の非限定的な例は、安定剤ありまたはなしのいずれかで原液として入手可能なものであり、ｔ−アミルペルオキシ２−エチルヘキサノエート；ｔ−ブチルペルオキシ３，５，５−トリメチルヘキサノエート；ｔ−ブチルペルオキシベンゾエート；ｔ−ブチルペルオキシ２−エチルヘキサノエート；ｔ−ブチルペルオキシ２−エチルヘキシルモノカーボネート；２，５−ジメチル−２，５−ビス（ｔ−ブチルペルオキシ）ヘキサン；ジ−ｔ−ブチルペルオキシド；ｔ−ブチルクミルペルオキシド；１，１，３，３−テトラメチルブチルヒドロペルオキシド；およびｎ−ブチル４，４−ビス（ｔ−ブチルペルオキシ）バレレートが挙げられる。
【００６３】
ヒュームドシリカの代表的な粒子形状の例を表３に示す。
【００６４】
【表３】
2020535285.tif 000005
【００６５】
過酸化物デリバリーシステム用の固体支持体としてのヒュームドシリカの適合性を確認するために、さまざまな親水性ヒュームドシリカ製品を試験した。これらを、表４に、製造元によって報告された特性とともに示す。
【００６６】
【表４】
2020535285.tif 000006
【００６７】
世界中に、ヒュームドシリカの製造元が数多くあり、他の適当な材料は、ここで研究されているものや他の製造元が製造したものに限定されない。例：Ｗａｃｋｅｒ  Ｃｈｅｍｉｅ  ＡＧ：「ＨＤＫ」という商標名で販売されている製品、Ｏｒｉｓｉｌ：「Ｏｒｉｓｉｌ」の商標名で販売されている製品、ＤＣ  Ｃｈｅｍｉｃａｌ：「Ｋｏｎａｓｉｌ」の商標名で販売されている製品、トクヤマ：「レオロシル」の商標名で販売されている製品、または、Ｘｕｎｙｕ：「Ｘｙｓｉｌ」の商標名で販売されている製品。
【００６８】
沈殿シリカ、シリカゲル、およびヒュームドシリカ製品の不純物含有量
本明細書において、用語「不純物」または「混入物」は、過酸化物デリバリーシステム用固体支持体中にあると予想されるもの以外の元素を指す。この実施例では、不純物または混入物は、表面にシラノール基を有するヒュームドシリカ、シリカゲルまたは沈降シリカを構成するＳｉ、ＯおよびＨ以外の元素を含む。表面処理されたヒュームドシリカまたは沈降シリカは、表面に結合している他の成分を含み得、不純物または混入物と見なされるわずかに異なる元素を含むことができる。ヒュームドシリカ、シリカゲル、および沈降シリカ製品の不純物または混入物の含有量は、誘導結合プラズマ質量分析またはＩＣＰ−ＭＳを使用してサンプルを分析することにより測定した。硝酸とフッ化ナトリウムとともにマイクロ波ダイジェスタでの温浸（ｄｉｇｅｓｔｉｏｎ）後、サンプルをＡｇｉｌｅｎｔ  ７７００ｘ  ＩＣＰ−ＭＳで分析した。以下の表５は、温浸手順中にサンプルマトリックスから浸出した元素を示す。
【００６９】
表５から明らかなように、不純物または混入物の含有量は、さまざまなサンプルで異なり、過酸化水素の分解に影響する（表６）。次の元素：Ａｌ、Ｃａ、Ｆｅ、Ｋ、Ｍｇ、Ｔｉ、Ｚｒは、他のシリカサンプルよりもＳｉｐｅｒｎａｔ（登録商標）およびＳｙｌｏｉｄ（登録商標）サンプルに高濃度で存在する。これらの元素は、Ａｅｒｏｓｉｌ（登録商標）およびＣＡＢ−Ｏ−ＳＩＬ（登録商標）サンプルで濃度が低いか、非検出である。
【００７０】
【表５】
2020535285.tif 000007
【００７１】
本発明は、以下の一連の実施例を用いて説明される。
【実施例】
【００７２】
実施例１：過酸化物デリバリーシステムの準備
プロセス：過酸化水素水溶液をシリカにゆっくりと連続的に添加して、溶液をシリカ担体上にできるだけ均一に分散させた。シリカ製品は、沈殿シリカとヒュームドシリカの両方で、非常にふわふわした粉末の形をしており、大量の液体を吸着する能力を有する。液体を１滴ずつまたはスプレーとして加えることが、シリカ粉末に液体を加える最も効果的な方法であった。大規模な生産技術には、バッチ式の混合、または連続もしくはセミバッチプロセスのいずれかが含まれることが予想される。
【００７３】
高剪断下での混合は不要であった。粉末は容易に液体を吸着した。粉末は、いくつかのアグロメレートを形成する可能性があり、混合物を十分に撹拌して均一化すると、容易に再分散した。必要に応じて、過酸化物デリバリーシステム製品をふるい、たとえば、１．４ｍｍ（１４メッシュ）または必要に応じて小さいもしくは大きい任意のサイズに押し出し、だまが形成された場合はそれを壊すことができる。得られた過酸化物デリバリーシステムは、指触乾燥状態であり、完全に砕けやすい粉末であった。このプロセスでは、溶媒の除去や追加の手順は必要なかった。
【００７４】
試験したほとんどのシリカ製品は、それ自体の質量以上の液体を吸着した。いくつかの例外を除いて（以下に記載）、シリカ粉末は、粉末の質量の約７／３倍（約２と１／３倍）の液体を簡単に吸着でき、つまり過酸化物デリバリーシステム（液体とシリカ）の総質量の約７０％が液体部分である。
【００７５】
実施例として、以下の比率（シリカの質量：液体の質量）を使用した。
【００７６】
【表６】
2020535285.tif 000008
【００７７】
上記のように混合した後、得られた固体は乾燥した白色粉末として現れた。混合物は完全に指触乾燥状態であり、液体が滲み出ず、別の方法では、長期間の保管後でさえ、最終的な粉末が湿ったまたは湿った感じになった。粉末が一定の期間、密閉されていない容器に放置された場合、過酸化物溶液はある程度固体から気化することが指摘される。
【００７８】
Ｓｙｌｏｉｄ（登録商標）２４４ＦＰで製造された過酸化物デリバリーシステムが、総質量で５６％を超える液体を含んでいる場合、湿っていた。同様に、Ａｅｒｏｐｅｒｌ（登録商標）３００  Ｐｈａｒｍａで製造された過酸化物デリバリーシステムは、総質量で５０％を超える液体を含んでいる場合、湿っていた。
【００７９】
潜在的な安全上の問題を評価するために、最初の実験は１０％濃度の過酸化水素（Ｐｅｒｏｘａｌ（登録商標）５０％ＣＬＧグレードから希釈）で行われた。手順が安全に確立されると、５０％濃度の過酸化水素水を使用して、また、７０％の過酸化水素水溶液を使用して、過酸化物デリバリーシステムを製造した。
【００８０】
明らかに、最終的な過酸化物デリバリーシステムの過酸化水素濃度は、シリカと結合した溶液中の過酸化水素の濃度に依存している。したがって、次の表では、Ｈ2Ｏ2負荷の質量パーセント（ｐｅｒｃｅｎｔ  ｏｆ  Ｈ2Ｏ2  ｌｏａｄｉｎｇ  ｂｙ  ｗｅｉｇｈｔ）は、過酸化物デリバリーシステムでの過酸化物の質量パーセントを指し、デリバリーシステムにおける、溶媒とＨ2Ｏ2の両方を含む液体溶液の総負荷ではない。したがって：
Ｈ2Ｏ2負荷の質量パーセント=
［Ｈ2Ｏ2の質量／（シリカの質量＋溶媒の質量＋Ｈ2Ｏ2の質量）］１００
・１０％の過酸化水素溶液は、デリバリーシステムに７０質量％の溶液が含まれる場合、デリバリーシステム中に７％の過酸化水素負荷を与える。
・５０％の過酸化水素溶液は、デリバリーシステムに７０質量％の溶液が含まれる場合、デリバリーシステム中に３５％の過酸化水素負荷を与える。
・７０％の過酸化水素溶液は、デリバリーシステムに７０質量％の溶液が含まれる場合、デリバリーシステム中に４９％の過酸化水素負荷を与える。
【００８１】
実施例２：過酸化物デリバリーシステムにおける過酸化水素の安定性
上記のシリカ生成物を、実施例１に記載のプロセスに従う様々な過酸化物溶液と組み合わせて、様々な過酸化物負荷濃度、安定化濃度、およびシリカのタイプを有する過酸化物デリバリーシステムを形成した。初期活性酸素含有量、および、各デリバリーシステムのエージング後の活性酸素含有量を、メトローム自動滴定装置（Ｍｅｔｒｏｈｍ  Ａｕｔｏｔｉｔｒａｔｏｒ）を使用した滴定によって測定した。滴定データは、±１〜２％の範囲の精度であった。
【００８２】
このようにして形成された過酸化物デリバリーシステムをプラスチックボトルに保存し、５０℃で保持した。活性酸素含有量を１週間、１か月、２か月後に測定して、過酸化水素溶液中の安定剤濃度の関数として過酸化物デリバリーシステムの安定性を決定し、不純物濃度と固体支持体のｐＨとの、過酸化物の安定性への影響を決定した。結果を表６に示す。
【００８３】
【表７−１】
2020535285.tif 000009
【表７−２】
2020535285.tif 000010
【００８４】
これらの結果から明らかなように、過酸化物デリバリーシステムの過酸化水素は、Ａｌ、Ｃａ、Ｆｅ、Ｋ、Ｍｇ、ＴｉおよびＺｒをまったく含まないか、または最小限の量で含むシリカ（表５に詳細を示す）に負荷した場合、著しく高い安定性を示した。過酸化物デリバリーシステムの最適な安定性のために、各不純物または混入物の量は５０ｐｐｍ未満、より好ましくは１６ｐｐｍ未満、さらにより好ましくは１０ｐｐｍ未満、最も好ましくは５ｐｐｍ未満である。
【００８５】
過酸化物デリバリーシステムに存在する安定剤の濃度は、同様に、過酸化物デリバリーシステムにおける過酸化物の長期安定性に影響を与える。好ましくは、少なくとも１ｐｐｍのいずれかの個々の安定剤が過酸化物デリバリーシステムに存在し、より好ましくは少なくとも１０ｐｐｍ、より好ましくは少なくとも３０００ｐｐｍ、最も好ましくは少なくとも９０００ｐｐｍであるが、過酸化物の早期の分解を防ぐために、典型的に使用される安定剤の任意の濃度が適当である。正確な過酸化物安定剤システムも特に限定されず、任意の典型的な過酸化物安定剤もしくは安定剤システムまたはそれらの混合物が、本明細書に開示される過酸化物デリバリーシステムでの使用に適当である。
【００８６】
最後に、過酸化物デリバリーシステムで使用される固体支持体のｐＨも、過酸化物デリバリーシステムでの過酸化物の長期安定性に影響を与える。好ましくは、固体支持体のｐＨは６未満、最も好ましくは５．５未満であるべきである。
【００８７】
実施例３：過酸化物デリバリーシステムの表面水分
この社内テストは、過酸化水素が負荷された粉末の表面に液体が存在する場合に、存在する液体の量を評価するために確立された。粉末の表面に自由な液体が存在すると、それはすぐに吸収性の材料に移される。
【００８８】
液体中で自重の何倍も吸収できる長さ１０ｃｍ、幅１ｃｍの薄い紙の小片（１プライＡｃｃｕＷｉｐｅブランド＃２９７１２（ジョージアパシフィック製）から切り出し）を、Ａｅｒｏｓｉｌ（登録商標）２００シリカに加え、もう１つの小片を、Ａｅｒｏｓｉｌ（登録商標）２００シリカ中に３５％の過酸化水素（ＣＧグレード）を負荷した過酸化物デリバリーシステムに加えた。紙の各小片を２４時間２５℃で粉末に沈めた後、紙の各小片の質量を再測定した。表７に、この実験の結果を示す。
【００８９】
【表８】
2020535285.tif 000011
【００９０】
予想した通り、粉末とその環境の間の平衡により、紙片を３５％Ａｅｒｏｓｉｌ（登録商標）２００粉末と直接接触させたままにすると、最小の質量増加が観察された。いくつかの残留粉末が各小片に残った。圧縮空気シリンダーからの迅速なエアーブローを紙片に向けて、計量前に可能な限り多くの残留粉末を除去したが、観測された質量増加のどれだけが紙への粉末の付着によるものか、および多くは実際の吸湿によるものかを評価するのは困難であった。過酸化物デリバリーシステムからの除去後、紙は完全に乾燥状態であると感じた。湿気の吸収は、おそらく紙と過酸化物デリバリーシステムの間に確立された平衡によるものである。
【００９１】
これらの結果は、過酸化物デリバリーシステムの表面に実質的に水分が存在しないことを明確に示す。このように「指触乾燥状態」は、ジョージアパシフィック社の１プライＡｃｃｕＷｉｐｅブランド＃２９７１２が、２５℃で２４時間過酸化物デリバリーシステムに沈めた後、１５質量％未満の湿気を吸収することを意味することを定められた。
【００９２】
実施例４：布のしみを除去するための過酸化水素デリバリーシステム
直接的なしみ抜き剤としての乾燥粉末過酸化物配達システムの効果を次のように試験した。
２つの標準化された布見本を試験した：
血で汚れた綿−ＳＴＣ  ＥＭＰＡ  １１１カット  ３インチ×４インチ（７６．２ｍｍ×１０１．６ｍｍ）
ビル（青）ベリージュースを綿上に−  ＳＴＣ  ＣＦＴ  ＣＳ−１５カット  ３インチ×４インチ（７６．２ｍｍ×１０１．６ｍｍ）
（両方の見本はＴｅｓｔｆａｂｒｉｃｓ、Ｉｎｃ．  ４１５  Ｄｅｌａｗａｒｅ  Ａｖｅ．、Ｗｅｓｔ  Ｐｉｔｔｓｔｏｎ、ＰＡ  １８６４３から得た。−www.testfabrics.com）
【００９３】
過酸化水素３５％、１７．５％、８．７５％をそれぞれ含む３つの異なる過酸化物デリバリーシステムパウダーを、血液とベリージュース（図３ｂ）でしみ付けした綿の見本に直接（水を加えずに）乾燥状態で擦った。
【００９４】
過酸化物デリバリーシステム粉末で処理された布見本は、約１０分間静置された。
次に粉末を見本から水で洗い流した。
【００９５】
図３ａは、この過酸化物処理後の血液でしみ付けされた布見本を示している。上部が過酸化水素３５％、中央が１７．５％、下部が８．７５％である。図３ｂはベリーでしみ付けされた布見本で、上部は過酸化水素３５％、中央は１７．５％、下部は８．７５％である。
【００９６】
両方の見本でしみの除去が観察される（白い斑点）。血液のしみの除去は、ベリージュースのしみよりも効果的なしみの除去により高い濃度の過酸化物が必要だったので、過酸化物デリバリーシステムの過酸化物の濃度により依存しているようである。
【００９７】
本明細書に開示される過酸化物デリバリーシステムの用途の他の非限定的な例は、過酸化物が有用である任意の用途であり、例えば、個人の衛生、クリーニング（洗浄）、または洗濯物や歯の漂白用の殺菌剤としての用途である。過酸化物デリバリーシステムは、粉末、液体、泡、スプレー、ゲル、軟膏、クリーム、またはペーストの調製物にでき、さまざまな形態や形に錠剤化して、さまざまなクリーニング、しみ抜き、殺菌剤製品に使用できる。他の非限定的な使用は、毛髪または皮膚のための、ならびに酸化剤を必要とする染毛剤組成物における使用のためのクリームおよび軟膏または漂白（脱色）システムなどの化粧品用途；消臭剤や洗浄剤製品などのパーソナルケア；歯のホワイトニング、練り歯磨き、うがい薬に混合できる粉末などの口腔ケア；たとえばカーペット洗浄粉末または水と混合して過酸化物溶液を作る粉末などの洗浄用途；直接のしみ抜き用、または洗濯洗剤粉末を有する配合用、洗濯用などのしみ抜き用途；洗濯洗剤用または食器洗剤用の洗浄ポッド内への配合；部屋や冷蔵庫、その他の密閉された空間、例えば車からの臭いの除去が挙げられる。
【００９８】
本発明の様々な例示的な態様は、以下のように要約され得る：
無機固体支持体と少なくとも１つの過酸化物化合物とを含む、少なくとも１つの過酸化物化合物用デリバリーシステム。無機固体支持体は、過酸化物化合物に対して不活性であり、指触乾燥状態を維持したまま液体を吸着可能である。過酸化物化合物は、液体過酸化物であるか、または少なくとも１つの当該過酸化物化合物の液体溶液である。液体過酸化物または当該液体溶液は無機固体支持体と組み合わされて、少なくとも１つの過酸化物化合物用デリバリーシステムを形成する。
【００９９】
液体過酸化物または液体溶液はまた、過酸化物化合物のための安定剤、安定剤の混合物または安定剤システムを含み得る。
【０１００】
無機固体支持体のｐＨは、６未満であり得る。無機固体支持体は、好ましくは、５０ｐｐｍ未満のいずれかのＡｌ、Ｃａ、Ｆｅ、Ｋ、Ｍｇ、Ｔｉ、またはＺｒを有する。ヒュームドシリカは無機支持体用の好ましい材料である。ヒュームドシリカは、親水性ヒュームドシリカであってよい。液体中の過酸化物化合物は、過酸化水素水溶液であり得る。 過酸化水素水溶液はまた、過酸化水素のための少なくとも１つの安定剤を含み得る。
【０１０１】
ヒュームドシリカは、いずれかの個々の混入物：Ａｌ、Ａｓ、Ｂａ、Ｃａ、Ｃｄ、Ｃｏ、Ｃｒ、Ｃｕ、Ｆｅ、Ｋ、Ｍｇ、Ｍｎ、Ｍｏ、Ｎａ、Ｎｉ、Ｐ、Ｐｂ、Ｓｂ、Ｓｉ、Ｓｎ、Ｓｒ、Ｔｉ、Ｖ、Ｗ、Ｚｎ、またはＺｒを５０ｐｐｍ未満有し得る。ヒュームドシリカは、これらの個々の混入物：Ａｌ、Ｃａ、Ｆｅ、Ｋ、Ｍｇ、Ｔｉ、またはＺｒを５０ｐｐｍ未満有し得る。ヒュームドシリカは、これらの個々の混入物：Ａｌ、Ｃａ、Ｆｅ、Ｋ、Ｍｇ、Ｔｉ、またはＺｒを１０ｐｐｍ未満有し得る。
【０１０２】
過酸化物デリバリーは、親水性ヒュームドシリカと過酸化水素水溶液を含んでもよい。過酸化水素水溶液は、過酸化水素に適した安定剤をさらに含むことができる。過酸化物デリバリーシステムにおける過酸化物安定剤の濃度は、過酸化水素のための安定剤が０．００１質量％であり得る。
【０１０３】
過酸化物デリバリーシステムは、総デリバリーシステム質量を有し、液体過酸化物または液体溶液中の過酸化物化合物は、液体過酸化物質量または過酸化物液体溶液質量を有し、液体過酸化物の質量または過酸化物液体溶液の質量は、総デリバリーシステム質量の少なくとも７０％を構成する。液体過酸化物の質量または過酸化物液体溶液の質量は、総デリバリーシステム質量の少なくとも５０％を構成することができる。
【０１０４】
過酸化水素水溶液が使用される場合、過酸化水素は、溶液の少なくとも５０質量％であり得る。過酸化水素水溶液が使用される場合、過酸化水素は、溶液の少なくとも７０質量％であり得る。
【０１０５】
過酸化物デリバリーシステムで使用される過酸化物化合物は、過酸化水素、過酢酸、過ホウ酸塩、過炭酸塩、有機過酸化物、過硫酸塩、または過酸のうちの少なくとも１つであり得る。
【０１０６】
過酸化物デリバリーシステムにおける過酸化物に適当な過酸化物安定剤は、スズ酸塩、ポリオール、ジオール、カルボン酸塩、リン酸塩、ピロリン酸塩、エチレンジアミン四酢酸（ＥＤＴＡ）およびその塩、アミン置換有機ホスホン酸およびその塩、アジピン酸およびその塩、リン酸およびその塩、コハク酸およびその塩、ブチル化ヒドロキシトルエン（ＢＨＴ）、ブチル化ヒドロキシアニソール（ＢＨＡ）、フェノール、並びに、それらの混合物を含む。
【０１０７】
例示的な少なくとも１つの過酸化物化合物用デリバリーシステムが開示される。当該システムはヒュームドシリカを含む。ヒュームドシリカは、少なくとも１つの過酸化物化合物に対して不活性であり、ｐＨ６未満である。ヒュームドシリカは、指触乾燥状態を維持したまま液体をデリバリーシステム質量に対して７０％まで吸着可能である。ヒュームドシリカは、いずれかの個々の混入物：Ａｌ、Ｃａ、Ｆｅ、Ｋ、Ｍｇ、Ｔｉ、およびＺｒを５０ｐｐｍ未満含む。少なくとも１つの過酸化物化合物は、液体過酸化物であるかまたは過酸化物化合物の液体溶液である。液体過酸化物または過酸化物化合物の液体溶液は、ヒュームドシリカによって吸着可能である。液体過酸化物または過酸化物化合物の液体溶液は、過酸化物のための安定剤を少なくとも０．００１質量％含む。デリバリーシステムに対して７０質量％までの液体過酸化物または過酸化物化合物の液体溶液が、ヒュームドシリカと組み合わされて、少なくとも１つの過酸化物化合物用デリバリーシステムを形成する。
【０１０８】
例示的な過酸化水素デリバリーシステムが開示される。過酸化水素デリバリーシステムは、親水性ヒュームドシリカと過酸化水素水溶液で構成される。親水性ヒュームドシリカは、過酸化水素に対して不活性であり、ｐＨ６未満である。シリカは、指触乾燥状態を維持したまま水をデリバリーシステム質量に対して７０％まで吸着可能であり、いずれかの個々の混入物：Ａｌ、Ｃａ、Ｆｅ、Ｋ、Ｍｇ、Ｔｉ、およびＺｒを５０ｐｐｍ未満含む。過酸化水素水溶液は、親水性ヒュームドシリカによって吸着可能であり、過酸化水素のための安定剤を少なくとも０．００１質量％含む。
【０１０９】
過酸化物デリバリーシステムの過酸化物は、初期活性酸素含有量を持つことができ、初期活性酸素含有量の少なくとも６０％が５０℃で１週間保管後も保持される。過酸化物デリバリーシステムの過酸化物は、初期活性酸素含有量を持つことができ、初期活性酸素含有量の少なくとも８０％が５０℃で１週間保管後も保持される。過酸化物デリバリーシステムの過酸化物は、初期活性酸素含有量を持つことができ、初期活性酸素含有量の少なくとも９０％が５０℃で１週間保管後も保持される。
【０１１０】
しみ付き布からしみを除去する方法も開示される。この方法は、ａ）本明細書に記載の実施形態のいずれかによる過酸化物デリバリーシステムを準備する工程と、ｂ）しみ付き布に前記過酸化物デリバリーシステムを適用する工程と、ｃ）過酸化物デリバリーシステムをしみ付き布上に一定時間おく工程（すなわち、過酸化物送出システムを一定期間しみ付き布と接触させる）と、ｄ）しみ付き布から過酸化物デリバリーシステムをすすぐ工程（例えば、水を使用して）と、を含む。
【０１１１】
過酸化物デリバリーシステムを含む口腔ケア組成物、または過酸化物デリバリーシステムを含む練り歯磨きまたは歯清掃用組成物も開示される。
【０１１２】
過酸化物デリバリーシステムはまた、洗浄組成物に配合され得る。例示的なそのような洗浄システムは、例えば、洗濯、台所、または床を洗浄するために、または他の一般的な洗浄目的のための洗浄に使用されるものである。
【０１１３】
過酸化物デリバリーシステムはまた、皮膚または毛髪の脱色に、または一般的な殺菌（ａｎｔｉｓｅｐｔｉｃ）目的で使用される化粧品組成物に配合されてもよい。
【０１１４】
毛髪脱色組成物は、過酸化物デリバリーシステムを含むことができる。染毛剤組成物はまた、過酸化物デリバリーシステムを含み得る。
【０１１５】
様々な消毒目的を意図した殺菌剤組成物は、本明細書に開示される過酸化物デリバリーシステムを含むことができる。
【０１１６】
本発明は、特定の実施形態を参照して本明細書で図示および説明されているが、本発明は、示された詳細に限定されることを意図していない。むしろ、特許請求の範囲の均等物の範囲および範囲内で、本発明から逸脱することなく、詳細に様々な修正を加えることができる。
【図１】
2020535285.tif 000012
【図２】
2020535285.tif 000013
【図３ａ】
2020535285.tif 000014
【図３ｂ】
2020535285.tif 000015
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
少なくとも１つの過酸化物化合物用デリバリーシステムであって、
前記デリバリーシステムは、
ｃ）無機固体支持体であって、当該無機固体支持体は、少なくとも１つの前記過酸化物化合物に対して不活性であり、指触乾燥状態を維持したまま液体を吸着可能である、前記無機固体支持体と、
ｄ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記無機固体支持体によって吸着可能である、少なくとも１つの前記過酸化物化合物と、
を含み、
それにより、少なくとも１つの前記液体過酸化物または前記溶液中の少なくとも１つの前記過酸化物化合物が、前記無機固体支持体と組み合わされて、少なくとも１つの前記過酸化物化合物用デリバリーシステムを形成する、少なくとも１つの過酸化物化合物用デリバリーシステム。
【請求項２】
前記液体過酸化物または前記液体溶液が、少なくとも１つの前記過酸化物化合物のための少なくとも１つの安定剤をさらに含む、請求項１に記載の少なくとも１つの過酸化物化合物用デリバリーシステム。
【請求項３】
前記無機固体支持体がｐＨ６未満である、請求項１に記載の少なくとも１つの過酸化物化合物用デリバリーシステム。
【請求項４】
前記無機固体支持体が、Ａｌ、Ｃａ、Ｆｅ、Ｋ、Ｍｇ、Ｔｉ、およびＺｒからなる群より選択されるいずれかの個々の混入物を５０ｐｐｍ未満含む、請求項１に記載の少なくとも１つの過酸化物化合物用デリバリーシステム。
【請求項５】
前記無機固体支持体がヒュームドシリカを含む、請求項１に記載の少なくとも１つの過酸化物化合物用デリバリーシステム。
【請求項６】
少なくとも１つの前記過酸化物化合物が、過酸化水素水溶液を含む、請求項１に記載の少なくとも１つの過酸化物化合物用デリバリーシステム。
【請求項７】
前記ヒュームドシリカがｐＨ６未満である、請求項５に記載の少なくとも１つの過酸化物化合物用デリバリーシステム。
【請求項８】
前記ヒュームドシリカが親水性ヒュームドシリカを含み、少なくとも１つの前記過酸化物化合物が過酸化水素水溶液を含む液体溶液である、請求項７に記載の少なくとも１つの過酸化物化合物用デリバリーシステム。
【請求項９】
前記過酸化水素水溶液が、過酸化水素のための少なくとも１つの安定剤をさらに含む、請求項８に記載の少なくとも１つの過酸化物化合物用デリバリーシステム。
【請求項１０】
前記ヒュームドシリカが、Ａｌ、Ａｓ、Ｂａ、Ｃａ、Ｃｄ、Ｃｏ、Ｃｒ、Ｃｕ、Ｆｅ、Ｋ、Ｍｇ、Ｍｎ、Ｍｏ、Ｎａ、Ｎｉ、Ｐ、Ｐｂ、Ｓｂ、Ｓｉ、Ｓｎ、Ｓｒ、Ｔｉ、Ｖ、Ｗ、ＺｎおよびＺｒからなる群より選択されるいずれかの個々の混入物を５０ｐｐｍ未満含む、請求項５に記載の少なくとも１つの過酸化物化合物用デリバリーシステム。
【請求項１１】
前記ヒュームドシリカが、Ａｌ、Ｃａ、Ｆｅ、Ｋ、Ｍｇ、ＴｉおよびＺｒからなる群より選択されるいずれかの個々の混入物を５０ｐｐｍ未満含む、請求項５に記載の少なくとも１つの過酸化物化合物用デリバリーシステム。
【請求項１２】
前記ヒュームドシリカが、Ａｌ、Ｃａ、Ｆｅ、Ｋ、Ｍｇ、Ｔｉ、およびＺｒからなる群より選択されるいずれかの個々の混入物を１０ｐｐｍ未満含む、請求項１１に記載の少なくとも１つの過酸化物化合物用デリバリーシステム。
【請求項１３】
ヒュームドシリカが親水性ヒュームドシリカを含み、少なくとも１つの前記過酸化物化合物が過酸化水素水溶液を含む液体溶液である、請求項１１に記載の少なくとも１つの過酸化物化合物用デリバリーシステム。
【請求項１４】
前記過酸化水素水溶液が、過酸化水素のための安定剤をさらに含む、請求項１３に記載の過酸化物化合物用デリバリーシステム。
【請求項１５】
前記過酸化水素水溶液が、過酸化水素のための安定剤を少なくとも０．００１質量％含む、請求項１３に記載の少なくとも１つの過酸化物化合物用デリバリーシステム。
【請求項１６】
前記デリバリーシステムが総デリバリーシステム質量を有し、少なくとも１つの前記液体過酸化物または前記液体溶液中の少なくとも１つの前記過酸化物化合物が液体過酸化物質量または過酸化物液体溶液質量を有し、当該液体過酸化物質量または当該過酸化物液体溶液質量は、前記総デリバリーシステム質量の少なくとも７０％を含む、請求項１に記載の少なくとも１つの過酸化物化合物用デリバリーシステム。
【請求項１７】
前記液体過酸化物質量または前記過酸化物液体溶液質量が、前記総デリバリーシステム質量の少なくとも５０％を含む、請求項１に記載の少なくとも１つの過酸化物化合物用デリバリーシステム。
【請求項１８】
前記過酸化水素水溶液が少なくとも５０質量％の過酸化水素を含む、請求項７に記載の少なくとも１つの過酸化物化合物用デリバリーシステム。
【請求項１９】
前記過酸化水素水溶液が少なくとも７０％の過酸化水素を含む、請求項８に記載の少なくとも１つの過酸化物化合物用デリバリーシステム。
【請求項２０】
前記過酸化水素水溶液が少なくとも５０％の過酸化水素を含む、請求項１２に記載の少なくとも１つの過酸化物化合物用デリバリーシステム。
【請求項２１】
前記過酸化水素水溶液が少なくとも７０％の過酸化水素を含む、請求項１３に記載の少なくとも１つの過酸化物化合物用デリバリーシステム。
【請求項２２】
少なくとも１つの前記過酸化物化合物が、過酸化水素、過酢酸、過ホウ酸塩、過炭酸塩、有機過酸化物、過硫酸塩、過酸、およびそれらの混合物からなる群より選択される、請求項１に記載の少なくとも１つの過酸化物化合物用デリバリーシステム。
【請求項２３】
前記安定剤が、スズ酸塩、ポリオール、ジオール、カルボン酸塩、リン酸塩、ピロリン酸塩、エチレンジアミン四酢酸（ＥＤＴＡ）およびその塩、アミン置換有機ホスホン酸およびその塩、アジピン酸およびその塩、リン酸およびその塩、コハク酸およびその塩、ブチル化ヒドロキシトルエン（ＢＨＴ）、ブチル化ヒドロキシアニソール（ＢＨＡ）、フェノール、ならびに、それらの混合物からなる群より選択される、請求項５に記載の少なくとも１つの過酸化物化合物用デリバリーシステム。
【請求項２４】
少なくとも１つの過酸化物化合物用デリバリーシステムであって、
前記デリバリーシステムは、
ｃ）ヒュームドシリカであって、当該ヒュームドシリカは、少なくとも１つの前記過酸化物化合物に対して不活性であり、指触乾燥状態を維持したまま液体を前記デリバリーシステム質量に対して７０％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、前記ヒュームドシリカと、
ｄ）少なくとも１つの前記過酸化物化合物であって、少なくとも１つの当該過酸化物化合物は、液体過酸化物であるかまたは少なくとも１つの当該過酸化物化合物の液体溶液であり、当該液体過酸化物または少なくとも１つの当該過酸化物化合物の当該液体溶液は、前記ヒュームドシリカによって吸着可能であり、当該過酸化物のための安定剤を少なくとも０．００１％含む、少なくとも１つの前記過酸化物化合物と、
を含み、
それにより、前記デリバリーシステムに対して７０質量％までの前記液体過酸化物または少なくとも１つの前記過酸化物化合物の前記液体溶液が、前記ヒュームドシリカと組み合わされて、少なくとも１つの前記過酸化物化合物用デリバリーシステムを形成する、少なくとも１つの過酸化物化合物用デリバリーシステム。
【請求項２５】
過酸化水素用デリバリーシステムであって、
前記デリバリーシステムは、
ｃ）親水性ヒュームドシリカであって、当該親水性ヒュームドシリカは、過酸化水素に対して不活性であり、指触乾燥状態を維持したまま液体を前記デリバリーシステム質量に対して７０％まで吸着可能であり、ｐＨ６未満であり、Ａｌ、Ｃａ、Ｆｅ、Ｋ、Ｍｇ、Ｔｉ、およびＺｒからなる群より選択されたいずれかの個々の混入物を５０ｐｐｍ未満含む、親水性ヒュームドシリカと、
ｄ）過酸化水素水溶液であって、当該過酸化水素水溶液は、前記親水性ヒュームドシリカによって吸着可能であり、過酸化水素のための安定剤を少なくとも０．００１％含む、過酸化水素水溶液と、
を含み、
それにより、前記デリバリーシステムに対して７０質量％までの前記過酸化水素水溶液が、前記親水性ヒュームドシリカと組み合わされて、過酸化水素用デリバリーシステムを形成する、過酸化水素用デリバリーシステム。
【請求項２６】
少なくとも１つの前記過酸化物化合物が初期活性酸素含有量を有し、少なくとも１つの当該過酸化物化合物が、５０℃で１週間保管後に、初期活性酸素含有量の少なくとも６０％を保持する、請求項１に記載の少なくとも１つの過酸化物化合物用デリバリーシステム。
【請求項２７】
少なくとも１つの前記過酸化物化合物が初期活性酸素含有量を有し、少なくとも１つの当該過酸化物化合物が、５０℃で１週間保管後に、初期活性酸素含有量の少なくとも８０％を保持する、請求項２に記載の少なくとも１つの過酸化物化合物用デリバリーシステム。
【請求項２８】
少なくとも１つの前記過酸化物化合物が初期活性酸素含有量を有し、少なくとも１つの当該過酸化物化合物が、５０℃で１週間保管後に、初期活性酸素含有量の少なくとも９０％を保持する、請求項２に記載の少なくとも１つの過酸化物化合物用デリバリーシステム。
【国際調査報告】
2020535285.tif 000016